(57)【要約】【課題】センサを用いなくともスピーカからの音声の発音を制御できるようにする。【解決手段】静電型スピーカ１が平坦面１００の上に置かれた場合、振動体１０から見た音響放射インピーダンスは、振動体１０から電極２０Ｌまでの間にある空気と、貫通孔２１にある空気だけとなり、低域の負荷が大きくなって入力部６０に音響信号が入力されても振動体１０が振動できずに音が放射されないこととなる。一方、静電型スピーカ１を撓ませて電極２０Ｌの一部を平坦面１００から離すと、平坦面１００から離れた部分では、振動体１０から見た音響放射インピーダンスは、振動体１０から電極２０Ｌまでの間にある空気、貫通孔２１にある空気、および電極２０Ｌと平坦面１００との間の空気となる。手で捲られた部分においては、低域の負荷が小さくなり、振動体１０が振動して音が放射される。【選択図】図５
2009260876.tif 000002
【特許請求の範囲】
【請求項１】
音響透過性、導電性および可撓性を有する第１電極と、
音響透過性、導電性および可撓性を有し前記第１電極に対向して離間配置された第２電極と、
導電性および可撓性を有し、前記第１電極と前記第２電極との間において前記第１電極および前記第２電極と離間して配置された振動体と、
弾性、絶縁性、可撓性および空気透過性を有し、前記第１電極と前記振動体との間に配置された第１弾性部材と、
弾性、絶縁性、可撓性および空気透過性を有し、前記第２電極と前記振動体との間に配置された第２弾性部材と
を有し、
前記各部材は、撓められた場合に隣り合う部材と密着しつつ滑ることを特徴とする静電型スピーカ。
【請求項２】
前記第１電極および前記第２電極の厚みは０．５ｍｍ以下であり、前記第１電極と前記振動体との間および前記第２電極と前記振動体との間の距離が１ｍｍ以下であることを特徴とする請求項１に記載の静電型スピーカ。
【請求項３】
前記第１電極と前記第２電極は磁性を有し、
前記第１電極と前記振動体との間に配置された第１磁石と、前記第２電極と前記振動体との間に配置された第２磁石とを有し、
前記第１電極は磁力により前記第１磁石側に引きつけられ、
前記第２電極は磁力により前記第２磁石側に引きつけられ、
前記第１磁石と前記第２磁石は、磁力により密着しつつ接触面の方向に滑ることが可能であること
を特徴とする請求項１または請求項２のいずれかに記載の静電型スピーカ。
【請求項４】
前記第１電極において前記振動体と反対側の表面または前記第２電極において前記振動体と反対側の表面に接しつつスライド可能な遮蔽板を有することを特徴とする請求項１または請求項２に記載の静電型スピーカ。
【請求項５】
前記第１電極において前記振動体と反対側の表面または前記第２電極において前記振動体と反対側の表面が布で覆われ、当該布が当該表面から捲り上げ可能に配置されていること
を特徴とする請求項１または請求項２に記載の静電型スピーカ。
【発明の詳細な説明】
【技術分野】
【０００１】
本発明は、静電型スピーカに関する。
【背景技術】
【０００２】
絵や文章などの視覚的な情報に対応した音声を発するものとして、特許文献１に開示された絵本がある。この絵本は、捲られているページをセンサで検出し、検出したページに対応した音声をスピーカから発音する。この絵本によれば、読者はスイッチの操作を行うことなく、ページを捲るだけで捲られたページに対応した音声を聞くことができる。
【０００３】
【特許文献１】登録実用新案第３００４５２８号公報
【発明の開示】
【発明が解決しようとする課題】
【０００４】
さて、特許文献１に開示されている絵本においては、捲られているページを検出するためのセンサは光導電素子となっており、このセンサで光が検出されると、捲られたページの音声がスピーカから発音される。しかし、センサへ到達する光を指などで遮ってしまうと、ページが捲られているとは認識されず、音声を発音することができないという問題がある。
【０００５】
本発明は、上述した背景の下になされたものであり、センサを用いなくともスピーカからの音声の発音を制御できる技術を提供することを目的とする。
【課題を解決するための手段】
【０００６】
上述した課題を解決するために本発明は、音響透過性、導電性および可撓性を有する第１電極と、音響透過性、導電性および可撓性を有し前記第１電極に対向して離間配置された第２電極と、導電性および可撓性を有し、前記第１電極と前記第２電極との間において前記第１電極および前記第２電極と離間して配置された振動体と、弾性、絶縁性、可撓性および空気透過性を有し、前記第１電極と前記振動体との間に配置された第１弾性部材と、弾性、絶縁性、可撓性および空気透過性を有し、前記第２電極と前記振動体との間に配置された第２弾性部材とを有し、前記各部材は、撓められた場合に隣り合う部材と密着しつつ滑ることを特徴とする静電型スピーカを提供する。
【０００７】
本発明においては、前記第１電極および前記第２電極の厚みは０．５ｍｍ以下であり、前記第１電極と前記振動体との間および前記第２電極と前記振動体との間の距離が１ｍｍ以下であるのが好ましい。
【０００８】
また、本発明においては、前記第１電極と前記第２電極は磁性を有し、前記第１電極と前記振動体との間に配置された第１磁石と、前記第２電極と前記振動体との間に配置された第２磁石とを有し、前記第１電極は磁力により前記第１磁石側に引きつけられ、前記第２電極は磁力により前記第２磁石側に引きつけられ、前記第１磁石と前記第２磁石は、磁力により密着しつつ接触面の方向に滑ることが可能であってもよい。
【０００９】
また、本発明においては、前記第１電極において前記振動体と反対側の表面または前記第２電極において前記振動体と反対側の表面に接しつつスライド可能な遮蔽板を有していてもよい。
【００１０】
また、前記第１電極において前記振動体と反対側の表面または前記第２電極において前記振動体と反対側の表面が布で覆われ、当該布が当該表面から捲り上げ可能に配置されていてもよい。
【発明の効果】
【００１１】
本発明によれば、センサを用いなくともスピーカからの音声の発音を制御することができる。
【発明を実施するための最良の形態】
【００１２】
図１は、本発明の一実施形態に係る静電型スピーカ１の外観を模式的に示した図、図２は、図１中のＡ−Ａ線断面矢視図、図３は、静電型スピーカ１の分解斜視図、図４は、図１中のＢ−Ｂ線断面矢視図である。図に示したように、この静電型スピーカ１は、振動体１０、電極２０Ｕ，２０Ｌ、スペーサ３０Ｕ，３０Ｌおよび弾性部材４０Ｕ，４０Ｌを有している。また、静電型スピーカ１は、電極２０Ｕ，２０Ｌとスペーサ３０Ｕ，３０Ｌを固定するための複数のネジ４５を有している。
なお、本実施形態においては、弾性部材４０Ｕ，４０Ｌの構成は同じであるため、両者を区別する必要が特に無い場合は「Ｌ」および「Ｕ」の記載を省略する。また、図中の振動体、電極等の各構成要素の寸法は、構成要素の形状を容易に理解できるように実際の寸法とは異ならせてある。また、図中、「○」の中に「・」が記載されたものは図面の裏から表に向かう矢印を意味し、「○」の中に「×」が記載されたものは図面の表から裏に向かう矢印を意味するものとする。
【００１３】
振動体１０は、例えば、ＰＥＴ（polyethylene terephthalate、ポリエチレンテレフタレート）、ＰＰ（polypropylene、ポリプロピレン）などのフィルムに、導電性を有する金属の導電膜を形成したものである。振動体１０の厚さは、数μｍ〜数十μｍ程度の厚さで薄いフィルム状となっているため、外力を受けると自在に変形する。
【００１４】
電極２０Ｕ，２０Ｌは、導電性を有する金属を矩形に形成したものである。また、電極２０Ｕ，２０Ｌは板状であって撓ませることが可能となっており、音響透過性を確保するために表面から裏面に貫通する貫通孔２１が所定間隔で複数設けられている。なお、電極２０Ｕ，２０Ｌの厚さは０．５ｍｍ以下であるのが好ましい。
電極２０Ｕと電極２０Ｌとを比較すると、電極２０Ｕについてのみ、ネジ４５が貫通する貫通孔２２，２３，２４が複数設けられている。貫通孔２２は、孔の形状が円形であり、貫通孔２３と貫通孔２４は、孔の形状が長孔となっている。また、貫通孔２３と貫通孔２４とを比較すると、図３に示したように貫通孔２４のほうが長孔の長手方向の長さ（図３においてはＹ方向への長さ）が長くなっている。なお、貫通孔２２の直径と、貫通孔２３，２４の短手方向の幅（図３中のＸ方向への長さ）は同じとなっている。
また、各貫通孔の配置位置を見ると、貫通孔２２は、矩形をした電極２０Ｕの一辺の両端部に設けられており、貫通孔２４は、貫通孔２２が設けられた一辺側と反対の一辺側の両端部に設けられている。また、貫通孔２３は、貫通孔２２と貫通孔２４との間の中間部分に設けられている。
【００１５】
スペーサ３０Ｕ，３０Ｌは、電極２０Ｕと電極２０Ｌとの間、および振動体１０と電極２０Ｕ，２０Ｌとの間を一定の距離に保つための部材である。スペーサ３０Ｕ，３０Ｌは、絶縁体で形成されており、その形状は図３に示したように矩形の枠の形状となっている。なお、本実施形態においては、スペーサ３０Ｕとスペーサ３０ＬのＺ方向の高さは、いずれも同じとなっている。なお、スペーサ３０Ｕ，３０Ｌの厚さは１ｍｍ以下であるのが好ましい。
スペーサ３０Ｕとスペーサ３０Ｌとを比較すると、スペーサ３０Ｕには、ネジ４５が貫通する貫通孔３２，３３，３４が複数設けられている。
貫通孔３２は、貫通孔２２と同じく孔の形状が円形である。また、貫通孔３３は貫通孔２３と同じ形状であり、貫通孔３４は貫通孔２４と同じ形状となっている。
また、各貫通孔の配置位置を見ると、貫通孔３２は、矩形をしたスペーサ３０Ｕの一辺の両端部に設けられており、貫通孔３４は、貫通孔３２が設けられた一辺側と反対の一辺側の両端部に設けられている。また、貫通孔３３は、貫通孔２２と貫通孔２４との間の中間部分に設けられている。
【００１６】
一方、スペーサ３０Ｌは、固定部３０ＬＡと枠部３０ＬＢの２種類の部材で構成されている。固定部３０ＬＡは、ネジ４５が嵌められるものであり、外形は円柱状で中央部分の孔に雌ねじが切られている。
枠部３０ＬＢは、矩形の枠の形状となっており、固定部３０ＬＡが挿入される貫通孔３５が複数設けられている。なお、貫通孔３５の直径は、固定部３０ＬＡの直径より大きくなっている。また、貫通孔３５は、枠部３０ＬＢの四隅と、四隅の間の中間部分に設けられている。
【００１７】
弾性部材４０は、例えば不織布であり、弾性、絶縁性、可撓性および空気透過性を有している。なお、弾性部材４０の空気透過率は高いほうが好ましい。また、弾性部材４０は弾性、絶縁性および空気透過性を有する素材で形成されていれば、スポンジ状、シート状など様々な形態をとることができる。
【００１８】
ネジ４５は雄ねじであり、頭部の径が貫通孔２２の径より大（貫通孔２３，２４の短手方向の幅より大）となっている。また、ネジ４５のネジ山は固定部３０ＬＡの雌ねじ部分にはまるようになっている。
【００１９】
（静電型スピーカ１の構造）
静電型スピーカ１においては、電極２０Ｌの上に枠部３０ＬＢが載せられ、固定部３０ＬＡが枠部３０ＬＢとの間に隙間が生じるように貫通孔３５に挿入されて電極２０Ｌに接着されている。そして、枠部３０ＬＢの内側（電極２０Ｌの上側）に弾性部材４０Ｌが配置され、枠部３０ＬＢの対向する二辺の上面に、振動体１０が張力を掛けない状態で接着されている。
また、振動体１０において枠部３０ＬＢに接着された部分および枠部３０ＬＢの上面にスペーサ３０Ｕが載せられており、スペーサ３０Ｕの内側（振動体１０の上側）に弾性部材４０Ｕが配置され、スペーサ３０Ｕの上面には電極２０Ｕが載せられている。
ここで、重ねられた各部材を電極２０Ｕ側から見ると、貫通孔２２，３２，３５が重なり、貫通孔２３，３３，３５も重なり、貫通孔２４，３４，３５も重なっている。
そして、ネジ４５が、貫通孔２２、貫通孔３２を通って固定部３０ＬＡにはめられている。また、ネジ４５は、貫通孔２３、貫通孔３３を通って固定部３０ＬＡにはめられ、貫通孔２４、貫通孔３４を通って固定部３０ＬＡにはめられている。
【００２０】
このようにネジ４５を電極２０Ｕとスペーサ３０Ｕの貫通孔を通して固定部３０ＬＡにはめることにより、電極２０Ｕ、スペーサ３０Ｕおよび枠部３０ＬＢがネジ４５の頭部により電極２０Ｌ側へ押され、各部材が隣り合う部材と密着する。
なお、枠部３０ＬＢと固定部３０ＬＡとの間には隙間があり、ネジ４５が通っている貫通孔２３，２４および貫通孔３３，３４は長孔であり、電極２０Ｕとスペーサ３０Ｕとの間、スペーサ３０Ｕと枠部３０ＬＢとの間、枠部３０ＬＢと電極２０Ｌとの間は固着されていない。このため、固着されずに隣合う部材同士は密着しつつ滑ることが可能であり、静電型スピーカ１は貫通孔２４側を手で持って撓めることができる。
【００２１】
（静電型スピーカ１の電気的構成）
次に、静電型スピーカ１の電気的構成について説明する。図２に示したように、静電型スピーカ１は変圧器５０、外部から音響信号が入力される入力部６０、振動体１０に対して直流バイアスを与えるバイアス電源７０とを備えている。バイアス電源７０は、振動体１０の導電膜と、変圧器５０の出力側の中点とに接続されており、２つの電極２０Ｕ，２０Ｌはそれぞれ変圧器５０の出力側の一端および他端に接続されている。また、変圧器５０の入力側は入力部６０に接続されている。この構成においては、入力部６０に音響信号が入力されると入力された音響信号に応じた電圧が電極２０Ｕ，２０Ｌに印加される。
【００２２】
（静電型スピーカ１の動作）
次に、静電型スピーカ１の動作について説明する。
変圧器から印加される電圧によって対向する電極２０Ｕと電極２０Ｌとの間に電位差が生じると、振動体１０を図中のＺ方向側またはＺ方向と反対の方向（−Ｚ方向）側へ引き寄せる静電力が振動体１０に働く。
【００２３】
例えば、入力部６０に音響信号が入力され、電極２０Ｕにプラスの電圧が印加され、電極２０Ｌにマイナスの電圧が印加されると、振動体１０の導電膜にはバイアス電源７０によりプラスの電圧が印加されているため、振動体１０において電極２０Ｕと電極２０Ｌとの間にある部分は、プラスの電圧が印加されている電極２０Ｕと反発する一方、マイナスの電圧が印加されている電極２０Ｌに吸引されて電極２０Ｌ側へ変位する。
一方、入力部６０に音響信号が入力され、電極２０Ｕにマイナスの電圧が印加され、電極２０Ｌにプラスの電圧が印加されると、振動体１０は、プラスの電圧が印加されている電極２０Ｌと反発する一方、マイナスの電圧が印加されている電極２０Ｕに吸引されて電極２０Ｕ側へ変位する。
【００２４】
このように、振動体１０が音響信号に応じて変位し(撓み)、その変位方向が逐次変わることによって振動となる。
そして、図５（ａ）に示したように静電型スピーカ１の周辺に十分な空間がある場合、その振動状態（振動数、振幅、位相）に応じた音が振動体１０から発生する。発生した音は、少なくとも電極２０Ｕ側または電極２０Ｌ側の一方を通り抜けて静電型スピーカ１の外部に放射される。
【００２５】
一方、図５（ｂ）に示したように静電型スピーカ１が平坦な面（平坦面１００）の上に置かれた場合、振動体１０から見た音響放射インピーダンスは、振動体１０から電極２０Ｌまでの間にある空気と、貫通孔２１にある空気だけとなり低域の負荷が大きくなる。つまり、入力部６０に音響信号が入力されても振動体１０の変位が少なく、音の放射が少なく（音量が小さく）なる。
【００２６】
次に、図５（ｂ）に示した状態から図５（ｃ）に示したように静電型スピーカ１を手で撓ませて電極２０Ｌの一部を平坦面１００から離すと、平坦面１００から離れた部分においては、振動体１０から見た音響放射インピーダンスは、振動体１０から電極２０Ｌまでの間にある空気、貫通孔２１にある空気、および電極２０Ｌと平坦面との間の空気となる。つまり、手で捲られた部分においては、図５（ｂ）の状態から比較して低域の負荷が小さくなり、振動体１０が振動して音が放射される。ここで、静電型スピーカ１においては、捲られて平坦面１００から離れる部分が多くなるにつれ、音響放射インピーダンスが変化して音量が大きくなっていく。
【００２７】
このように本実施形態においては、平坦面におかれたスピーカを捲るだけでセンサを用いなくても音声の放射や音量を制御できる。
また、電極２０Ｌの表面に絵や文章など静電型スピーカ１から放射される音声に関連する視覚的な情報を配置しておけば、視覚的な情報に対応した音声を聞くことができる。
例えば、店頭でミュージシャンの写真を電極２０Ｌの表面に配置しておき、静電型スピーカ１から、このミュージシャンの新曲を出すようにすれば、静電型スピーカ１を手で捲るだけで、店頭で新曲を試聴することができる。
また、博物館や美術館などで展示物の写真を電極２０Ｌの表面に配置しておき、静電型スピーカ１から、この展示物の説明の音声を出すようにすれば、静電型スピーカ１を手で捲るだけで展示物の説明を聞くことでき、展示物をより知ることができる。
また、博物館や美術館などでは館内を静かにすることが求められるが、本実施形態によれば、来場者が説明を聞かないときは静電型スピーカ１は平坦な面に置かれ、低域の負荷が大きくなって振動体１０の変位が少なく音の放射が少なくいので音量が小さく、一方、説明を聞きたいときには捲られて音がでるため、博物館など静かな場所で使用するのに好適である。
【００２８】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００２９】
本発明においては、電極２０Ｕ，２０Ｌにおいて静電型スピーカ１の外面となる部分を、通気性があり印刷可能な不織布で覆うようにしてもよい。
【００３０】
振動体１０は、上述した実施形態では、振動体１０の対向する二辺がスペーサ３０Ｕと枠部３０ＬＢとの間に挟まれているが、一辺のみがスペーサ３０Ｕと枠部３０ＬＢの間に挟まれるようにしてもよい。
また、本発明においては、電極２０Ｕ，２０Ｌを剛性があって撓まないものとし、振動体１０の四辺の全部をスペーサ３０Ｕと枠部３０ＬＢの間に挟まれるようにしてもよい。この場合、振動体１０に張力を掛けてスペーサ３０Ｕに固定してもよく、また、振動体１０に張力を掛ける場合には弾性部材４０を配置しなくてもよい。
【００３１】
本発明においては、電極２０Ｕまたは電極２０Ｌのいずれか一方の表面を覆う遮蔽板を電極表面に対してスライド可能に配置し、遮蔽板をスライドさせることで振動体１０から見た音響放射インピーダンスを調整できるようにしてもよい。
図６は、この変形例に静電型スピーカ１Ａの外観を模式的に示した図である。図に示したように静電型スピーカ１Ａは、遮蔽板９０と、ガイドレール９１を有している。
遮蔽板９０は、絶縁性と剛性を備えた素材で形成された部材である。遮蔽板９０の四辺のうち、対向する２辺の縁部分は鉤形に折り曲げられている。また、ガイドレール９１は断面が凹型をした部材であり、枠部３０ＬＢの対向する二辺の側面に固着されている。
ガイドレール９１の凹部には、遮蔽板９０において鉤形に曲げられた部分が嵌り、ガイドレール９１の凹型の溝に沿って遮蔽板９０を電極２０Ｌに接触させつつスライドさせることができる。
【００３２】
電極２０Ｌの全面がガイドレール９１に嵌められた遮蔽板９０により覆われていると、図５（ｂ）に示した場合と同様に、振動体１０から見た音響放射インピーダンスは、振動体１０から電極２０Ｌまでの間にある空気と、貫通孔２１にある空気だけとなり低域の負荷が大きくなる。つまり、入力部６０に音響信号が入力されても振動体１０が振動できず、音が放射されないこととなる。
一方、遮蔽板９０をスライドさせて電極２０Ｌの表面を露出させると、振動体１０から見た音響放射インピーダンスが変化し、電極２０Ｌにおいて表面が露出している部分は、全面が覆われている状態と比較して低域の負荷が小さくなり、振動体１０が振動して音が放射される。
なお、図６の遮蔽板９０を備える静電型スピーカ１Ａを部屋に配置する場合、電極２０Ｌ側と電極２０Ｕ側のいずれの側を音場に向けてもよい。また、静電型スピーカ１Ａを部屋に配置する場合、遮蔽板９０を横方向にスライド可能としてもよく、縦方向にスライド可能としてもよい。
【００３３】
本発明においては、電極２０Ｕの表面からスペーサ３０Ｕ、スペーサ３０Ｌおよび電極２０Ｌを貫通する孔を設け、図７に示したように、この孔を壁面１１０に設けられたフック１１１に掛けて電極２０Ｌを壁面１１０に密着させるようにしてもよい。この構成においては、電極２０Ｌが壁面１１０に接している時には音が発生せず、静電型スピーカ１Ｂがフック１１１から外されて壁面１１０から離れると音が発生する。
【００３４】
本発明においては、静電型スピーカ１の表面に布を掛け、掛けた布をめくれるようにしてもよい。
図８（ａ）は、この変形例に係る静電型スピーカ１Ｃを側面から見たときの模式図である。布１２０は、厚手の布であり静電型スピーカ１Ｃの側面に固着されている。
布１２０を電極２０Ｌ側に掛けた場合には、電極２０Ｌの全面が布１２０で覆われる。
すると、図５（ｂ）に示した場合と同様に、振動体１０から見た音響放射インピーダンスは、振動体１０から電極２０Ｌまでの間にある空気と、貫通孔２１にある空気だけとなり低域の負荷が大きくなる。つまり、入力部６０に音響信号が入力されても振動体１０が振動できず、音が放射されないこととなる。一方、布１２０を捲って布１２０を電極２０Ｌから離すと振動体１０から見た音響放射インピーダンスが変化して音が放射される。
なお、この構成においては、図８（ｂ）に示したように電極２０Ｕの表面にリブ４６を配置してもよい。この構成によれば、布１２０を電極２０Ｕ側にまわしたときに布１２０と電極２０Ｕとの間に隙間が生じ、手を布１２０から離しても静電型スピーカ１Ｄから音が放射される。
【００３５】
本発明においては、ネジ４５を用いずに各部材が密着するようにしてもよい。
図９は、本発明の変形例に係る静電型スピーカ１Ｅの断面図である。この構成においては、スペーサ３０Ｕとスペーサ３０Ｌにおいては、上述した実施形態で説明した貫通孔に替えて溝３６が設けられており、この溝３６には磁石３７が接着されている。また、電極２０Ｕと電極２０Ｌは、強磁性の素材で形成されている。
なお、この静電型スピーカ１Ｅは、図９中の右側端の部分においては、電極２０Ｕがスペーサ３０Ｕに固着され、スペーサ３０Ｕがスペーサ３０Ｕに固着され、スペーサ３０Ｌが電極２０Ｌに固着されている。
【００３６】
この構成においては、スペーサ３０Ｕの溝３６にある磁石３７とスペーサ３０Ｕの溝３６にある磁石３７とが引き合い、スペーサ３０Ｕとスペーサ３０Ｌが密着する。また、電極２０Ｕはスペーサ３０Ｕの溝３６にある磁石３７に引かれてスペーサ３０Ｕに密着し、電極２０Ｌはスペーサ３０Ｌの溝３６にある磁石３７に引かれてスペーサ３０Ｌに密着する。電極２０Ｕ，２０Ｌとスペーサ３０Ｕ，３０Ｌは、図９中の右側端部分以外は接着されていないため、隣合う部材同士は密着しつつ滑ることが可能であり、上述した実施形態と同様に静電型スピーカ１Ｅを撓めることができる。
なお、隣合う部材同士を磁石により密着させる構成としては、上述した実施形態のスペーサ３０Ｕ，３０Ｌを柔軟性のある磁石で構成し、これによりスペーサ３０Ｕとスペーサ３０Ｌを密着させつつ、電極２０Ｕをスペーサ３０Ｕに密着させ、電極２０Ｌをスペーサ３０Ｌに密着させるようにしてもよい。
【図面の簡単な説明】
【００３７】
【図１】本発明の一実施形態に係る静電型スピーカの外観図である。
【図２】静電型スピーカ１のＡ−Ａ線断面矢視図である。
【図３】静電型スピーカ１の分解斜視図である。
【図４】静電型スピーカ１のＢ−Ｂ線断面矢視図である。
【図５】静電型スピーカ１の動作を説明するための図である。
【図６】本発明の変形例に係る静電型スピーカの外観図である。
【図７】本発明の変形例に係る静電型スピーカの側面図である。
【図８】本発明の変形例に係る静電型スピーカの側面図である。
【図９】本発明の変形例に係る静電型スピーカの断面図である。
【符号の説明】
【００３８】
１・・・静電型スピーカ、１０・・・振動体、２０Ｕ，２０Ｌ・・・電極、２１〜２４・・・貫通孔、３０Ｕ，３０Ｌ・・・スペーサ、３２〜３４・・・貫通孔、３６・・・溝、３７・・・磁石、４０Ｕ，４０Ｌ・・・弾性部材、４５・・・ネジ、４６・・・リブ、５０・・・変圧器、６０・・・入力部、７０・・・バイアス電源、９０・・・遮蔽板、９１・・・ガイドレール、１００・・・平坦面、１１０・・・壁面、１１１・・・フック、１２０・・・布
【図１】
2009260876.tif 000003
【図２】
2009260876.tif 000004
【図３】
2009260876.tif 000005
【図４】
2009260876.tif 000006
【図５】
2009260876.tif 000007
【図６】
2009260876.tif 000008
【図７】
2009260876.tif 000009
【図８】
2009260876.tif 000010
【図９】
2009260876.tif 000011